(57)【要約】【課題】食品を切断する他、食品を挟んで保持することができ、さらには、食品を押し潰して柔らかくすることができる多機能の握りバサミを提供する。【解決手段】多機能握りバサミ１は、一対の脚部１１，１２と、一対の脚部の基端側を連結する連結部１３とを有するＵ字形状である。そして、一対の脚部１１，１２の先端部分に設けられ、一対の脚部間に位置する物を挟んで保持し得るように所定の高さを有する一対の挟み壁１５，１６と、一対の挟み壁の、高さ方向一方縁に接続され、物を切断するために握りバサミの開閉方向内側に向かって張り出した刃部１７ｈ，１８ｈを有する一対の切断壁１７，１８と、一対の挟み壁の先端縁に接続され、物を押し潰すために握りバサミの開閉方向外側に向かって張り出した押し潰し壁１９，２０とを備える。【選択図】図１
2009183631.tif 000002
【特許請求の範囲】
【請求項１】
一対の脚部と、前記一対の脚部の基端側を連結する連結部とを有するＵ字形状の多機能握りバサミであって、
前記一対の脚部の先端部分に設けられ、一対の脚部間に位置する物を挟んで保持し得るように所定の高さを有する一対の挟み壁と、
前記一対の挟み壁の、高さ方向一方縁に接続され、物を切断するために握りバサミの開閉方向内側に向かって張り出した刃部を有する一対の切断壁と、
前記一対の挟み壁の先端縁に接続され、物を押し潰すために握りバサミの開閉方向外側に向かって張り出した押し潰し壁とを備える、多機能握りバサミ。
【請求項２】
前記押し潰し壁の表面のうち先端側の先端面が凹凸面である請求項１に記載の多機能握りバサミ。
【請求項３】
前記挟み壁の表面のうち開閉方向内側の内側面が凹凸面である請求項１または２に記載の多機能握りバサミ。
【発明の詳細な説明】
【技術分野】
【０００１】
本発明は、外出先などで乳幼児に食事させるときに利用することができ、多機能を備えた握りバサミに関する。
【背景技術】
【０００２】
離乳時の乳幼児は、ジャガイモ、リンゴ、うどん等の離乳食をわずかな量だけ食べる。しかし自分の歯が未だ生えていないため、食事させるときに食品を食べやすくする必要がある。離乳食に使用される食器類としては従来、例えば、特開２００５−１７７１８１号公報（特許文献１）に記載のごとき握り鋏が知られている。特許文献１に記載の握り鋏は、Ｕ字形状の握り部と、握り部の先端側に連なる挟み部と、挟み部の内側にそれぞれ設けられた一対の刃部とを備える。そして、一対の刃部が食品を食べやすい大きさに切断するというものである。
【特許文献１】特開２００５−１７７１８１号公報
【発明の開示】
【発明が解決しようとする課題】
【０００３】
しかし、上記従来のような握り鋏にあっては、以下に説明するような問題を生ずる。つまり、特許文献１に記載の握り鋏は、食品（物）を食べやすい大きさに切断することができても、食品を切断することなく挟んで保持することが困難である。さらに食品を押し潰すことができない。このため、ジャガイモやリンゴといった固めの食品を食べやすくして乳幼児に与えるには、別途、押し潰すための食器類や柔らかくするための食器類を用意する必要があった。
【０００４】
本発明は、上述の実情に鑑み、食品を切断する他、食品を挟んで保持することができ、さらには、食品を押し潰して柔らかくすることができる多機能の握りバサミを提供することを目的とする。
【課題を解決するための手段】
【０００５】
この目的のため本発明による多機能握りバサミは、一対の脚部と、一対の脚部の基端側を連結する連結部とを有するＵ字形状である。そして、一対の脚部の先端部分に設けられ、一対の脚部間に位置する物を挟んで保持し得るように所定の高さを有する一対の挟み壁と、一対の挟み壁の、高さ方向一方縁に接続され、物を切断するために握りバサミの開閉方向内側に向かって張り出した刃部を有する一対の切断壁と、一対の挟み壁の先端縁に接続され、物を押し潰すために握りバサミの開閉方向外側に向かって張り出した押し潰し壁とを備える。
【０００６】
かかる本発明によれば、挟み壁によって、食品を挟んで保持するという第１の機能を実現することができる。これにより、丸い形状の食品や、滑りやすい食品であっても、容易に取り出すことができ、この機能を利用して食品を保持しながら別途用意したおろしプレートのうえで当該食品をすりおろすことができる。さらに、握りバサミの開閉動作に伴って一対の切断壁の刃部が食品を食べやすい大きさに切断する第２の機能を実現することができる。しかも、押し潰し壁によってジャガイモやリンゴといった固めの食品を押し潰して柔らかくする第３の機能を実現することができる。したがって、１個の握りバサミで３つの機能を実現することが可能となり、外出の際、食品を挟んで保持するための食器や、食品を柔らかくするための食器を持参する必要がなくなって、携帯する食器類を減らすことができ、また、外出先で乳幼児に食べさせることができる離乳食のメニューを広げることができる。
【０００７】
ここで好ましくは、押し潰し壁の表面のうち先端側の先端面が凹凸面である。かかる実施形態によれば、押し潰し壁を食品にしっかりと押し当てることが可能になる。したがって、食品が押し潰し壁から反れて飛び出すことを防止して、潰し易くすることができる。
【０００８】
ここで好ましくは、挟み壁の表面のうち開閉方向内側の内側面が凹凸面である。かかる実施形態によれば、挟み壁が食品をしっかりと挟むことが可能になる。したがって、食品が挟み壁から反れて飛び出すことを防止して、保持し易くすることができる。
【発明を実施するための最良の形態】
【０００９】
以下、本発明の実施の形態を、図面に示す実施例に基づき詳細に説明する。図１および図２は、本実施例になる多機能握りバサミを示す斜視図である。図３は、本実施例の多機能握りバサミの平面図である。図４は、本実施例の多機能握りバサミの側面図である。図５は、本実施例の多機能握りバサミの正面図である。
【００１０】
多機能握りバサミ１は、２本の脚部１１，１２を備え、これら脚部１１，１２が一対となる。一対の脚部１１，１２の基端が連結して連結部１３となる。連結部１３は湾曲し、多機能握りバサミ１はＵ字形状である。
【００１１】
連結部１３から遠い側になる脚部１１の先端部分には、挟み壁１５を設ける。また脚部１２の先端部分にも同様に挟み壁１６を設ける。これら挟み壁１５および挟み壁１６は互いに向かい合って一対となし、連結部１３を支点として脚部１１，１２の先端部分が互いに近づいたり離れたりすることによって開閉する。これら一対の挟み壁１５，１６の高さＨは、図４に示すように一対の脚部１１，１２間に位置する物（図示せず）を挟んで保持し得るように所定の高さを有する。例えば図４に示すように、挟み壁１５（１６）の高さを、基端側、すなわち基端と先端との中央になる脚部１１（１２）の長手方向中央部、で小さくし、先端に向かうにつれて大きくするとよい。挟み壁１５，１６は、多機能握りバサミ１の長手方向および高さ方向に広がり、開閉方向に薄い壁状の部材である。挟み壁１５の開閉方向内側の内側面１５ｎには凹凸を設ける。例えば図２に示すように、高さ方向に延びる突条２１を、長手方向等間隔に複数形成して、内側面１５ｎを凹凸面にする。さらに図１に示すように、挟み壁１６の内側面１６ｎも同様に凹凸面にする。
【００１２】
挟み壁１５の高さ方向一方縁には、切断壁１７を接続する。また挟み壁１６の高さ方向一方縁にも同様に切断壁１８を接続する。これら一対の切断壁１７，１８は、多機能握りバサミ１の開閉方向内側に向かって張り出す。そして張り出した内側縁に物を切断するために刃部１７ｈ、１８ｈをそれぞれ有する。多機能握りバサミ１が開閉する際、刃部１７ｈ、１８ｈが互いに擦れ合うように接触してせん断力を発生させることにより、これら刃部１７ｈ、１８ｈ間に位置する物を切断する。切断壁１７，１８は、多機能握りバサミ１の長手方向および開閉方向に広がり、高さ方向に薄い壁状の部材である。
【００１３】
高さＨを有する挟み壁１５の先端縁には、押し潰し壁１９を接続する。また高さＨを有する挟み壁１６の先端縁にも同様に押し潰し壁２０を接続する。これら一対の押し潰し壁１９，２０は、物を押し潰すために多機能握りバサミ１の開閉方向外側に向かって張り出す。押し潰し壁１９，２０は、多機能握りバサミ１の高さ方向および開閉方向に広がり、長手方向に薄い壁状の部材である。押し潰し壁１９の先端側の先端面１９ｓには凹凸を設ける。例えば、先端に向かって突出する半球状の突起２２を複数形成して、先端面１９ｓを凹凸面にする。押し潰し壁２０の先端面２０ｓも同様に凹凸面にする。
【００１４】
次に多機能握りバサミ１の使用状態につき説明する。多機能握りバサミ１の使用者が脚部１１，１２の長手方向中央部を握れば、脚部１１，１２の先端部分同士を閉じることができる。そして、脚部１１，１２を握る力が大きくなれば、図６の斜視図および図７の正面図に示すように、脚部１１，１２の先端部分同士が接触して完全に閉じる。逆に、脚部１１，１２を握る力が小さくなれば、脚部１１，１２の先端部分同士を開くことができる。つまり、握る力が０のとき、図１〜図５の各図に示すように、脚部１１，１２の先端部分同士が完全に開く。なお、図２および図６の斜視図は同方向から見た状態を示す。また、図５および図７の正面図は共に先端側から見た状態を示す。
【００１５】
閉じた状態で、一対の挟み壁１５，１６の開閉方向の間隔が狭くなって、挟み壁１５の内側面１５ｎおよび挟み壁１６の内側面１６ｎが、物を挟んで保持する機能を果たす。また閉じた状態で、一対の切断壁１７，１８が互いに重なって刃部１７ｈ、１８ｈが擦れ合う鋏の機能を果たす。また図６および図７に示す完全に閉じた状態で、押し潰し壁１９および押し潰し壁２０が合わさって一枚の広い押し潰し壁を構成する。この広い押し潰し壁は、多機能握りバサミ１の先端部分よりも外側に位置する物を押し潰す機能を果たす。
【００１６】
次に多機能握りバサミ１の機能につき詳細に説明する。
【００１７】
図８は、多機能握りバサミ１が食品（物）を挟んで保持する様子を示す斜視図である。乳幼児の母親などの使用者が多機能握りバサミ１を手で握っているとき、一対の挟み壁１５，１６は、一対の脚部１１，１２間に位置する食品２を挟んで保持する。このとき内側面１５ｎ，１６ｎに設けた突条２１が、食品２を滑り落ちないよう確りと保持する。また、挟み壁１５，１６の高さ方向一方縁に接続された切断壁１７，１８も、食品２が高さ方向一方側に滑り落ちることを防止する。これにより使用者は、受け皿５の上に食品を載置することが可能になり、離乳食の準備をすることができる。さらに、受け皿５の開口縁に、この開口形状と同形状のおろしプレート６を載置するよう取り付け、食品２を挟みながらおろしプレート６のうえで当該食品２をすりおろすことができる。
【００１８】
図９は、多機能握りバサミ１が麺類などの細長い食品を切断する様子を示す斜視図である。一対の切断壁１７，１８が重なり合うことにより、食品３を切断する。これにより多機能握りバサミ１の使用者は、食品を細かく切断して受け皿５の上に載置し、乳幼児が食べ易いよう離乳食を準備することができる。
【００１９】
図１０は、多機能握りバサミ１がリンゴ、ジャガイモ、ニンジンまたはカボチャなどの固めの食品を押し潰す様子を示す斜視図である。使用者が多機能バサミ１を受け皿５に対し垂直に立てて、受け皿５に載置された食品４に多機能バサミ１の先端を押し付けると、押し潰し壁１９，２０が食品４を押し潰す。このとき先端面１９ｓ，２０ｓに設けた突起２２が、食品４に確りと接触して、食品４が先端面１９ｓ，２０ｓから反れることを回避する。これにより多機能握りバサミ１の使用者は、受け皿５の上で食品を押し潰して柔らかくすることが可能になり、乳幼児が食べ易いよう離乳食を準備することができる。
【００２０】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００２１】
本発明に係る多機能握りバサミは、食器類に有効に利用される。
【図面の簡単な説明】
【００２２】
【図１】本発明の一実施例になる多機能握りバサミを示す斜視図である。
【図２】同実施例の多機能握りバサミを示す斜視図である。
【図３】同実施例の多機能握りバサミを示す平面図である。
【図４】同実施例の多機能握りバサミを示す側面図である。
【図５】同実施例の多機能握りバサミを示す正面図である。
【図６】同実施例の多機能握りバサミが完全に閉じた状態を示す斜視図である。
【図７】同実施例の多機能握りバサミが完全に閉じた状態を示す正面図である。
【図８】同実施例の多機能握りバサミの使用状態を示す説明図である。
【図９】同実施例の多機能握りバサミの使用状態を示す説明図である。
【図１０】同実施例の多機能握りバサミの使用状態を示す説明図である。
【符号の説明】
【００２３】
１  多機能握りバサミ、２〜４  食品（物）、５  受け皿、６  おろしプレート、１１・１２  脚部、１３  連結部、１５・１６  挟み壁、１７・１８  切断壁、１９・２０  押し潰し壁、２１  突条、２２  突起。
【図１】
2009183631.tif 000003
【図２】
2009183631.tif 000004
【図３】
2009183631.tif 000005
【図４】
2009183631.tif 000006
【図５】
2009183631.tif 000007
【図６】
2009183631.tif 000008
【図７】
2009183631.tif 000009
【図８】
2009183631.tif 000010
【図９】
2009183631.tif 000011
【図１０】
2009183631.tif 000012
【手続補正書】
【提出日】平成20年2月20日(2008.2.20)
【手続補正１】
【補正対象書類名】特許請求の範囲
【補正対象項目名】全文
【補正方法】変更
【補正の内容】
【特許請求の範囲】
【請求項１】
一対の脚部と、前記一対の脚部の基端側を連結する連結部とを有するＵ字形状の多機能握りバサミであって、
前記一対の脚部の先端部分に設けられ、一対の脚部間に位置する物を挟んで保持し得るように所定の高さを有する一対の挟み壁と、
前記一対の挟み壁の、高さ方向一方縁に接続され、物を切断するために握りバサミの開閉方向内側に向かって張り出した刃部を有する一対の切断壁と、
前記一対の挟み壁の先端縁に接続され、物を押し潰すために握りバサミの開閉方向外側に向かって張り出した押し潰し壁とを備える、多機能握りバサミ。
【請求項２】
前記押し潰し壁の表面のうち先端側の先端面が凹凸面である請求項１に記載の多機能握りバサミ。
【請求項３】
前記挟み壁の表面のうち開閉方向内側の内側面が凹凸面である請求項１または２に記載の多機能握りバサミ。
【請求項４】
一対の脚部と、前記一対の脚部の基端側を連結する連結部とを有するＵ字形状の多機能握りバサミであって、
前記一対の脚部の先端部分に設けられ、一対の脚部間に位置する物を挟んで保持し得るように所定の高さを有する一対の挟み壁と、
前記一対の挟み壁の、高さ方向一方縁に接続され、物を切断するために握りバサミの開閉方向内側に向かって張り出した刃部を有する一対の切断壁とを備える、多機能握りバサミ。
【手続補正２】
【補正対象書類名】明細書
【補正対象項目名】０００５
【補正方法】変更
【補正の内容】
【０００５】
この目的のため本発明による多機能握りバサミは、一対の脚部と、一対の脚部の基端側を連結する連結部とを有するＵ字形状である。そして、一対の脚部の先端部分に設けられ、一対の脚部間に位置する物を挟んで保持し得るように所定の高さを有する一対の挟み壁と、一対の挟み壁の、高さ方向一方縁に接続され、物を切断するために握りバサミの開閉方向内側に向かって張り出した刃部を有する一対の切断壁と、一対の挟み壁の先端縁に接続され、物を押し潰すために握りバサミの開閉方向外側に向かって張り出した押し潰し壁とを備える。
あるいは本発明による多機能握りバサミは、一対の脚部と、一対の脚部の基端側を連結する連結部とを有するＵ字形状の多機能握りバサミであって、一対の脚部の先端部分に設けられ、一対の脚部間に位置する物を挟んで保持し得るように所定の高さを有する一対の挟み壁と、一対の挟み壁の、高さ方向一方縁に接続され、物を切断するために握りバサミの開閉方向内側に向かって張り出した刃部を有する一対の切断壁とを備える。
【手続補正３】
【補正対象書類名】明細書
【補正対象項目名】０００８
【補正方法】変更
【補正の内容】
【０００８】
ここで好ましくは、挟み壁の表面のうち開閉方向内側の内側面が凹凸面である。かかる実施形態によれば、挟み壁が食品をしっかりと挟むことが可能になる。したがって、食品が挟み壁から反れて飛び出すことを防止して、保持し易くすることができる。
また、一対の挟み壁と一対の切断壁とを備える本発明によれば、挟み壁によって、食品を挟んで保持するという第１の機能と、握りバサミの開閉動作に伴って一対の切断壁の刃部が食品を食べやすい大きさに切断する第２の機能を実現することができる。したがってこれら第１および第２の機能により、食品を容易に取り出して、この食品を保持しながら別途用意したおろしプレートのうえで当該食品をすりおろしたり、この食品を食品を食べやすい大きさに切断したりすることができる。